(57)【特許請求の範囲】
【請求項１】
下面側からパターン部、およびレリーフホログラム部が積層しており、前記パターン部および前記レリーフホログラム部のいずれか一方が、網点もしくは万線によって構成された隠しパターンを有しており、かつ他方が、網点もしくは万線によって構成された確認パターンを有している真正性識別部であって、
前記隠しパターンは、前記網点もしくは前記万線の規則性のあるパターン要素で構成されたパターン部ａ領域、前記パターン要素の位相及び／又は大きさが変化したパターン部ｂ領域、および、前記いずれの領域とも異なる背景部領域によって構成され、
前記確認パターンは、前記パターン部ａ領域のパターン要素と同一もしくは前記パターン部ａ領域のパターン要素を含む規則性のあるパターン要素のみによって構成され、
且つ、前記パターン部と前記レリーフホログラム部が剥離可能である
ことを特徴とする真正性識別部。
【請求項２】
下面側からレリーフホログラム部、およびパターン部が積層しており、前記パターン部および前記レリーフホログラム部のいずれか一方が、網点もしくは万線によって構成された隠しパターンを有しており、かつ他方が、網点もしくは万線によって構成された確認パターンを有している真正性識別部であって、
前記隠しパターンは、前記網点もしくは前記万線の規則性のあるパターン要素で構成されたパターン部ａ領域、前記パターン要素の位相及び／又は大きさが変化したパターン部ｂ領域、および、前記いずれの領域とも異なる背景部領域によって構成され、
前記確認パターンは、前記パターン部ａ領域のパターン要素と同一もしくは前記パターン部ａ領域のパターン要素を含む規則性のあるパターン要素のみによって構成され、
且つ、前記パターン部と前記レリーフホログラム部が剥離可能である
ことを特徴とする真正性識別部。
【請求項３】
下面側から第１のパターン部、レリーフホログラム部、および第２のパターン部が積層しており、前記第１のパターン部および前記第２のパターン部いずれか一方が、網点もしくは万線によって構成された隠しパターンを有しており、かつ他方が、網点もしくは万線によって構成された確認パターンを有している真正性識別部であって、
前記隠しパターンは、前記網点もしくは前記万線の規則性のあるパターン要素で構成されたパターン部ａ領域、前記パターン要素の位相及び／又は大きさが変化したパターン部ｂ領域、および、前記いずれの領域とも異なる背景部領域によって構成され、
前記確認パターンは、前記パターン部ａ領域のパターン要素と同一もしくは前記パターン部ａ領域のパターン要素を含む規則性のあるパターン要素のみによって構成され、
且つ、前記第１のパターン部と前記レリーフホログラム部との間、もしくは前記レリーフホログラム部と第２のパターン部との間の少なくとも一方が剥離可能である
ことを特徴とする真正性識別部。
【請求項４】
請求項１〜３いずれかの請求項に記載された真正性識別部の最下層に接着剤層が積層していることを特徴とする真正性識別部貼付け用ラベル。
【請求項５】
請求項１〜３いずれかの請求項に記載された真正性識別部の最下層に接着剤層が積層しており、最上層には、透明基材シートが前記真正性識別体を剥離可能に積層していることを特徴とする真正性識別部転写シート。
【発明の詳細な説明】
【０００１】
【発明の属する技術分野】
本発明は、情報記録体等の被着体に貼付けや転写により適用し、わざわざ、別体の確認用パターンを用いることなく、単独で真正性の確認が可能な真正性識別部に関するものである。
また、本発明は、そのような真正性識別部を情報記録体等の被着体に適用するための真正性識別体貼付け用ラベル、および真正性識別部転写シートに関するものである。
【０００２】
【従来の技術】
情報が記録された情報記録体には、（１）預貯金用カードもしくはクレジットカード等のカード類のように、使用により金銭的な価値を生じるもの、（２）紙幣、証券、商品券のように額面記載の価値を有する金券、（３）株券、抽選券、もしくは馬券等のように、投機的に、もしくはそのほかの因子で決まる価値を有するもの、および（４）パスポート、もしくは身分証明書のように、金銭的価値は直接生じないが、所持する人の資格や行動を保証するもの、等がある。
【０００３】
上記のような情報記録体は、直接的、もしくは間接的に、経済的もしくはその他の価値を有しているため、不正な意図でこれらを製造する偽造や、本物や使用済みで廃棄すべきものを利用し、作り変える変造が後を絶たない。
【０００４】
偽造・変造の防止策として、紙幣等においては、透かし入りの特殊な用紙を使用し、彫刻凹版と特別に調合されたインキを用いた印刷方式により、精巧な印刷を施すことが行なわれている。また、株券、証券、もしくは商品券についても、汎用の印刷方式を利用するものの、紙幣に準じた印刷が行なわれている。
また、預貯金用カード、もしくはクレジットカード等のカード類については、磁気ストライプ中に、目にみえない電子情報を記録するため、視覚的な要素のみでは偽造をしにくいが、これに加えて、製造の困難性のあるホログラムシール等を貼り、偽造を防止している。
【０００５】
このうち、ホログラムシールは、ホログラムの製造が困難性を伴なうため、貼る対象物の真正性を保証する目的でよく用いられている。
しかし、ホログラムシールの原理そのものはよく知られており、製造技術が高度であるとは言え、技術の習得により、偽造され得るものであり、ホログラムシールの改良を進める傍ら、さらにホログラムの真正性識別機能を高める努力がなされている。
【０００６】
例えば、特開平１１−２７７９６２号公開公報には、ホログラム形成層と、網点または万線で隠しパターンが構成された隠しパターンが構成された画像形成体が記載されており、確認の手段として、画像形成体とは別体の、網点または万線で構成された確認パターンを重ねることにより、隠しパターンを顕像化することができる。
【０００７】
上記公開公報に記載された発明によれば、画像形成体をカード等に貼付け、確認パターンを用いて、真正性の判定を行なうことができるので、単に外観を似せただけの偽造ホログラムをカードに貼る等の偽造を見破ることは容易である。
しかし、カードにくらべれば、確認パターンの重要性は低いものと思われがちであるため、確認パターンが放置中に盗まれ、偽造ホログラム上でも、真正品のホログラムが持つ隠しパターンが現出するような確認パターンを作って使用する不正が生まれる恐れがある。
【０００８】
【発明が解決しようとする課題】
従って、本発明においては、上記の従来技術における画像形成体が、別体の確認手段を必要とするため、単に外観のみを真似て偽造したホログラムや、真正品のホログラムが持つ隠しパターンを、偽造したホログラム上でも見えるように作製した確認パターンが出回るのを防止することを課題とするものである。
【０００９】
【課題を解決する手段】
上記の従来技術において、隠しパターンとは別体であった確認パターンとを、レリーフホログラムを含む同一の積層体中に有する構造とすることにより、課題を解決することができた。また、このように隠しパターン、確認パターン、およびレリーフホログラムを含む積層体を、ラベルの構造、もしくは転写シートの構造とすることにより、課題を解決することができた。以下、「レリーフホログラム」を「ホログラム」とも称す。
【００１０】
第１の発明は、下面側からパターン部、およびレリーフホログラム部が積層しており、前記パターン部および前記レリーフホログラム部のいずれか一方が、網点もしくは万線によって構成された隠しパターンを有しており、かつ他方が、網点もしくは万線によって構成された確認パターンを有している真正性識別部であって、前記隠しパターンは、前記網点もしくは前記万線の規則性のあるパターン要素で構成されたパターン部ａ領域、前記パターン要素の位相及び／又は大きさが変化したパターン部ｂ領域、および、前記いずれの領域とも異なる背景部領域によって構成され、前記確認パターンは、前記パターン部ａ領域のパターン要素と同一もしくは前記パターン部ａ領域のパターン要素を含む規則性のあるパターン要素のみによって構成され、且つ、前記パターン部と前記レリーフホログラム部が剥離可能であることを特徴とする真正性識別部に関するものである。第２の発明は、  下面側からレリーフホログラム部、およびパターン部が積層しており、前記パターン部および前記レリーフホログラム部のいずれか一方が、網点もしくは万線によって構成された隠しパターンを有しており、かつ他方が、網点もしくは万線によって構成された確認パターンを有している真正性識別部であって、前記隠しパターンは、前記網点もしくは前記万線の規則性のあるパターン要素で構成されたパターン部ａ領域、前記パターン要素の位相及び／又は大きさが変化したパターン部ｂ領域、および、前記いずれの領域とも異なる背景部領域によって構成され、前記確認パターンは、前記パターン部ａ領域のパターン要素と同一もしくは前記パターン部ａ領域のパターン要素を含む規則性のあるパターン要素のみによって構成され、且つ、前記パターン部と前記レリーフホログラム部が剥離可能であることを特徴とする真正性識別部に関するものである。第３の発明は、下面側から第１のパターン部、レリーフホログラム部、および第２のパターン部が積層しており、前記第１のパターン部および前記第２のパターン部いずれか一方が、網点もしくは万線によって構成された隠しパターンを有しており、かつ他方が、網点もしくは万線によって構成された確認パターンを有している真正性識別部であって、前記隠しパターンは、前記網点もしくは前記万線の規則性のあるパターン要素で構成されたパターン部ａ領域、前記パターン要素の位相及び／又は大きさが変化したパターン部ｂ領域、および、前記いずれの領域とも異なる背景部領域によって構成され、前記確認パターンは、前記パターン部ａ領域のパターン要素と同一もしくは前記パターン部ａ領域のパターン要素を含む規則性のあるパターン要素のみによって構成され、且つ、前記第１のパターン部と前記レリーフホログラム部との間、もしくは前記レリーフホログラム部と第２のパターン部との間の少なくとも一方が剥離可能であることを特徴とする真正性識別部に関するものである。第４の発明は、第１〜第３いずれかの発明の真正性識別部の最下層に接着剤層が積層していることを特徴とする真正性識別部貼付け用ラベルに関するものである。第５の発明は、第１〜第３いずれかの発明の真正性識別部の最下層に接着剤層が積層しており、最上層には、透明基材シートが前記真���性識別体を剥離可能に積層していることを特徴とする真正性識別部転写シートに関するものである。
【００１１】
【発明の実施の形態】
以下に、図を引用しながら本発明を説明する。
本発明の真正性識別部３は、基本的には、下面側からパターン部５、およびホログラム部６が積層した構造を有するもの（図１（ａ））であるか、下面からホログラム部６、およびパターン部５が積層した構造を有するもの（図１（ｂ））であって、パターン部５およびホログラム部６のいずれか一方が、網点もしくは万線で構成された隠しパターンを有しており、かつ他方が、網点もしくは万線で構成された確認パターンを有しているものである。
【００１２】
本発明の真正性識別体３は、下面側から第１のパターン部５ａ、ホログラム部６、および第２のパターン部５ｂが積層した構造を有するもの（図１（ｃ））であってもよい。この場合には、第１のパターン部５ａおよび第２のパターン部５ｂのいずれか一方が、網点もしくは万線で構成された隠しパターンを有しており、かつ他方が、網点もしくは万線で構成された確認パターンを有しているものである。
なお、ホログラム部を二層準備して互いに積層し、いずれか一方のホログラム部が網点もしくは万線で構成された隠しパターンを有しており、かつ他方のホログラムが、網点もしくは万線で構成された確認パターンを有している構造とすることもできる。
【００１３】
本発明の真正性識別体３は、上記の３通りのいずれの積層構造をとるにせよ、情報記録体等の被着体の基材２に適用し、真正性識別体１を構成する目的で、パターン部５の下面側に接着剤層４が積層した構造であることが好ましい。
【００１４】
上記におけるパターン部５、第１のパターン部５ａ、および第２のパターン部５ｂは、後述するように印刷等の手法により形成するものである。この印刷等の手法は、対象物を必要とするので、ホログラム部６を対象物として、印刷等の手法を適用するほかに、透明基材フィルム５１に印刷等の手法を適用して、パターン層５２を形成し、透明基材フィルム５１とパターン層５２との積層構造をもって、パターン部５としてもよい。
透明基材フィルム５１とパターン層５２との積層構造としては、下面側が透明基材フィルム５１で、上面側がパターン層５２である積層構造（図２（ａ））、および下面側がパターン層５２で、上面側が透明基材フィルム５１である積層構造（図２（ｂ））のいずれでもよい。
【００１５】
また、上記におけるホログラム部６は、ホログラムが形成された層であるホログラム形成層６１の単独でもよいが、ホログラム形成層６１が反射層６２を下面側に伴なった積層構造（図３（ａ））であってもよく、あるいは、ホログラム形成層６１の作製の都合上、透明基材フィルム６３の下面にホログラム形成層６１、および反射層６２が順に積層した積層構造（図３（ｂ））であってもよい。
なお、ホログラム形成層６１と反射層６２とは上下逆であってもよく、即ち、下面側からホログラム形成層６１、および反射層６２が積層した積層構造、もしくは下面側から透明基材フィルム６３、ホログラム形成層６１、および反射層６２が順に積層した積層構造であってもよい。
【００１６】
ホログラム部６の下層に隠しパターン、もしくは確認パターンのパターン部５がある場合、反射層６２は透明性を有していることが望ましいが、ホログラム部６の下層に隠しパターン、もしくは確認パターンのパターン部５が無い場合、真正性識別部３の真正性確認の上では、反射層６２は透明性を有していなくてもよい。
【００１７】
本発明においては、隠しパターンと確認パターンを、一つの真正性識別部内に有していることが特徴で、これら、隠しパターンおよび確認パターンは、いずれも万線、もしくは網点等の規則性のあるパターン要素で構成されたものである。
【００１８】
図４（ａ）は、隠しパターン１１を例示する図であって、隠しパターン１１は、中央部の横長の長方形のパターン部１１ａ、パターン部１１ａの四周に接した枠状のパターン部１１ｂ、および背景部１１ｃの三つの部分とからなっており、三つの部分のいずれもが万線によって構成されている。これら三つの部分のうち、パターン部１１ａおよびパターン部１１ｂが、同じ右上がりの万線で構成されたものであり、ただし、両パターン部において、万線どうしが１／２ピッチずれている。残る背景１１ｃは、右下がりの万線で構成されている。ここで使用されている向き（角度）の異なる二種類の万線どうしは直交するものとする。
なお、万線とは、一定幅ｗの線が２ｗのピッチで等間隔に配列した集合体を指す。
【００１９】
図４（ｂ）は、図４（ａ）の隠しパターン１１を確認するための確認パターン１２を例示するもので、右上がりの万線で構成され、この確認パターン１２を構成する万線と、図４（ａ）を用いて説明した隠しパターン１１の中央部およびその周囲を取り巻くパターン部１１ａおよび１１ｂを構成する万線とはピッチおよび向き（角度）が同一であり、背景部１１ｃを構成する万線とはピッチが同一であるが、向きが互いに直交する。
【００２０】
上記の例の隠しパターン１１と確認パターン１２を重ねた状態を図５に示す。
図４（ａ）に示す隠しパターン１１上に、図４（ｂ）に示す確認パターン１２を重ねると、確認パターン１２を構成する万線が、隠しパターン１１の中央部のパターン部１１ａを構成する万線上にちょうど重なると、図５（ａ）に示すように、中央部のパターン部１１ａは、元の万線の状態と同様に見えるが、周囲の枠状のパターン部１１ｂ中、線ではない部分を、確認パターン１２の万線が埋めるので、結果として、枠状のパターン部１１ｂの部分は、塗りつぶされて見える（図４（ａ）中、モアレパターン１３の符号で示す。）。
【００２１】
また、隠しパターン１１上に確認パターン１２を重ねた上記の状態において、確認パターン１２を構成する万線が、隠しパターン１１の枠状のパターン部１１ｂを構成する万線上にちょうど重なるような位置関係にすると、図５（ｂ）に示すように、枠状のパターン部１１ｂは、元の万線の状態と同様に見えるが、中央部のパターン部１１ａ中、線ではない部分を、確認パターン１２の万線が埋めるので、中央部のパターン部１１ａの部分は、塗りつぶされて見える（図５（ｂ）中、モアレパターン１３の符号で示す。）。
【００２２】
隠しパターン１１のパターン部１１ａおよび１１ｂ以外の部分、即ち、隠しパターンの背景部１１ｃは、上記のいずれの場合においても、万線どうしが直交している状態が変化しないので、一様に見える。
【００２３】
図４（ａ）において、隠しパターン１１は、拡大して図示したために、中央部およびその周囲を取り巻くパターン部１１ａおよび１１ｂの両パターン部は、あたかも、背景部１１ｃから区別して見えるように感じられるが、実際には、万線の線幅、ピッチが小さく、しかも、両パターン部分１１ａおよび１１ｂと、背景部１１ｃとは、単位面積中に線の部分が占める割合が等しく（図４（ａ）の例では、いずれの場所においても５０％である。）、濃度差を生じないため、隠しパターン１１の肉眼判定は非常に困難である。
【００２４】
しかし、上記の例において示すように、隠しパターン１１上に確認パターン１２を重ねることにより、パターン部分１１ａおよび１１ｂは、線の部分の割合が、５０％か１００％のいずれかになるから、背景部の線の割合である７５％との差が生じ、視認が可能になる。
【００２５】
図６および図７は、隠しパターンおよび確認パターンの別の組み合わせを示す図である。いずれの図においても（ａ）は隠しパターンを示す図で、いずれも正方形の網点で構成され、隠しパターン自体は図６および図７で共通である。（ｂ）はいずれも確認パターンを示す図であり、（ｃ）は、いずれも、隠しパターン上に、確認パターンを重ねた状態を示す図である。
【００２６】
隠しパターン１１は、各々は外形が正方形の網点から構成されたもので、縦横の格子線は、各網点の位置が格子状配列から、意図的にずらされていることを示すための補助線であり、格子線どうしは縦横等間隔であり、縦線と横線とは互いに直交している。
【００２７】
まず、各網点の左右方向（一般的なグラフで言えば、ｘ軸方向）の配置については、隠しパターン１１の、最も左の列（第１列とする。）の網点は、いずれも各格子点の右上に、網点の左辺と下辺とが格子線に接して配置されている。また、最も上の行（第１行とする。）と最下行の網点は各格子に網点の左辺が接するように配置されている。
そのほかの各網点は、左右方向については、格子間の中央にある、ただし、第４列および第５列の第４行および第５行の四つの網点の左辺は、格子線に接している。
また、各網点は、第１列の網点を除き、後列に行くほど、上側（グラフで言えば、ｙ軸の正方向側）に少しずつずれて配置され、この結果、最後列である８列目の網点は、ｙ軸方向については、格子間の中央に配置されている。
【００２８】
上記の隠しパターン１１を確認し得る確認パターン１２は、図６（ａ）に示す隠しパターン用としては、各線がｘ軸方向を向いて配列したもの（図６（ｂ））、もしくは各線がｙ軸方向を向いて配列したもの（図７（ｂ））であり、両者は互いに他を９０°回転した関係にある。
いずれの確認パターンも万線で構成され、万線の線の幅は、隠しパターンの網点の一辺と等しくなるよう形成されている。
【００２９】
まず、図６（ａ）で示す隠しパターン１１上に、図６（ｂ）で示す確認パターン１２を重ねる。ここでは、隠しパターン１１の格子線のうちの横線に確認パターン１２を構成する万線の各線の下辺が接するように重ねるものとする。
こうすることにより、第１列の網点は、万線によって覆われるために見えなくなるが、第２列以降の列の網点は、配置されている位置の格子からの変位に基づき、後列にいくほど、次第に万線の各線よりはみ出して見えるようになり、全体としては、右側に行くほど濃度が濃くなる、グラデーションを有する視覚パターンを与える。
【００３０】
また、図７（ａ）で示す隠しパターン１１上に、図７（ｂ）で示す確認パターン１２を重ねる。ここでは、隠しパターン１１の格子線のうちの縦線に確認パターン１２を構成する万線の各線の左辺が接するように重ねるものとする。
こうすることにより、格子線に接して配置されていた第１列の網点、第１行および最下行の網点、並びに第４列および第５列の第４行および第５行の四つの網点は、万線によって覆われるために見えなくなるが、そのほかの網点は配置されている位置の格子から、いずれも同じだけ右側にずれているので、網点の右側半分が万線の各線よりはみ出して見えるようになり、全体としては、ほぼ枠状の外形を有する視覚パターンを与える。
【００３１】
以上の例では、万線により構成された隠しパターンと万線により構成された確認パターン、および、網点により構成された隠しパターンと万線により構成された確認パターンの組み合わせを説明したが、これら以外の、網点により構成された隠しパターンと網点により構成された確認パターン、および、万線により構成された隠しパターンと網点により構成された確認パターンの組み合わせも可能である。
【００３２】
また、図を引用して説明した例では、万線どうし、網点と万線の重ね合わせにおいては、ほぼ平行な重なりにより、干渉を起こさせて、隠しパターンを見えるようにしたが、平行でなくても、比較的平行に近い小さい角度、例えば２０°以下、もしくは１５°以下の角度で交差させて重ねてもよい。
いずれの場合においても、網点もしくは万線がぴったり重なるか、上に重なった物のほうが大きい場合には、下になった方は、上からは全く見えないが、下になる方が、上になる物からはみ出して居る場合には、その部分が視覚的に強め合う干渉効果が生じる。即ち、本発明における、網点もしくは万線によって構成された隠しパターンは、網点もしくは万線によって構成された確認パターンと干渉しあうものである。なお、干渉により見えるパターンをしばしばモアレパターンと呼ぶので、この明細書においては、確認パターンにより見える状態となった視覚パターンをモアレパターンとも呼ぶ。
【００３３】
さらに、ここで言う網点は、四角形や円形等の通常の網点形状以外の形状、例えば、記号や文字等の形状で構成されていてもよい。また、網点は直線上に配列したものでも、もしくは曲線やサインカーブのような波線上に配列したものであってもよく、万線も直線状のものでも、曲線やサインカーブのような波線状のものであってもよい。
なお、線幅に対して数倍以上の長さを有する形状のものは網点とも、万線ともつかないが、いずれであるかは別として、本発明における「網点もしくは万線によって構成された」の範囲に含めるものとする。
加えて、隠しパターン、および確認パターンを構成する網点もしくは万線は、一定なものでなくても、隠しパターン、および確認パターンの両方において、互いに同調しながら変化したものであってもよい。
【００３４】
以上においては、一つの層には隠しパターン、もしくは確認パターンのいずれか一方のみが形成されていることを前提に説明したが、一つの層に隠しパターンと確認パターンの両方を形成することもできる。例えば、二層の一方の層においては、右半分に隠しパターンを形成し、左半分には確認パターンを形成しておき、他方の層には、右半分に確認パターン、左半分に隠しパターンを形成しておけば、二層が重なって、左右いずれにおいても真正性識別が可能になる。
このように、一つの層に隠しパターン、および確認パターンを混在させたものを三層以上組み合わせてもよい。また、三層以上の場合には、例えばＡ層、Ｂ層、およびＣ層の三層が関わるとして、右半分については、Ａ層とＢ層とで真正性識別が行なえ、左半分については、Ｂ層とＣ層とで真正性識別が行なえるようにしてもよい。
【００３５】
本発明の真正性識別部３の構造は、図１を引用して説明した構造において、隠しパターンの形成位置と確認パターンの形成位置とを相互に入れ替えることができるので、種々の組み合わせがあり得る。
なお、隠しパターンをパターン部が有しているよりも、ホログラム部が有している方が、セキュリティ性（＝偽造防止性）、および意匠性が優れており、確認パターンについても同様であるが、製造工程の複雑さから高価格になりやすい。また、モアレパターンの視認性（コントラスト）については、隠しパターンが印刷等で形成された場合の方が優れ、また、確認パターンに関しても、印刷等で形成された場合の方が優れている。
そこで、各パターンの形成位置は別にして、真正性識別部３、および真正性識別体３を基材２に適用した真正性識別体１の各部およびそれらの形成方法、並びにパターンの形成方法について、次に説明する。
【００３６】
基材２は、被着体がクレジットカード等のカード類であればプラスチックシートであり、金券や身分証明書であれば、紙であることが多い。
これらを含め、基材２の素材としては、ポリ塩化ビニル、ポリビニルアルコール、ポリスルホン、ポリエチレンテレフタレート等のポリエステル、ポリアリレート、ポリカーボネート、ポリアミド、ポリイミド、セルロースジアセテート、セルローストリアセテート、ポリスチレン系、アクリル、ポリプロピレン、ポリエチレン、もしくはポリオレフィンビニルアルコールなどの樹脂のほか、アルミニウム、銅などの金属、紙、そして、樹脂またはラテックス等の含浸紙などの単独、或いは複合体シートなどを用いることができる。
耐熱性が要求される場合、基材２の素材として、非晶質ポリエステル樹脂、非晶質ポリエステル樹脂とポリカーボネート樹脂のブレンド樹脂等のシートも用いることができる。
【００３７】
基材２の厚さは、材質によっても異なるが、通常、１０μｍ〜５ｍｍ程度の範囲である。特に磁気カードの場合、基材シートをＩＳＯ規格に準拠したものとする場合には、その厚さは０．７６ｍｍである。そして、基材２をポリ塩化ビニル樹脂（以下、ＰＶＣ）で形成する場合、通常、厚さ２８０μｍの白色ＰＶＣシートをコアシートとして、これを２枚重ね、その両側にそれぞれ厚さ１００μｍの透明ＰＶＣシートをオーバーシートとして重ねて、熱プレスなどにより積層する４層構成の基材（合計厚さ０．７６ｍｍ）が用いられている。
【００３８】
ホログラム部６は、広義には、合成樹脂の層に光回折構造が形成された層であり、光回折構造の代表的なものがホログラムである。具体例としては、レリーフホログラム、フルネルホログラム、フラウンホーファホログラム、レンズレスフーリエ変換ホログラム、レーザー再生ホログラム（イメージホログラムなど）、白色光再生ホログラム（レインボーホログラムなど）、カラーホログラム、コンピュータホログラム、ホログラムディスプレイ、マルチプレックスホログラム、ホログラフィックステレオグラム、ホログラフィック回折格子などが挙げられる。また、ホログラム的な記録方法を用いたもの以外に、機械的な切削によっても、または、電子線もしくはレーザー光により回折格子を直接形成してもよい。
【００３９】
ホログラム部６は、単独の層からなる場合と、図３を引用して説明したように積層構造を取る場合とがある。単独の層からなるホログラム部６は、積層構造におけるホログラム形成層６１単独と等しい。
【００４０】
ホログラム形成層６１を構成する合成樹脂としては、ポリ塩化ビニル、アクリル樹脂（例、ＰＭＭＡ）、ポリスチレン、ポリカーボネートなどの熱可塑性樹脂、不飽和ポリエステル、メラミン、エポキシ、ポリエステル（メタ）アクリレート、ウレタン（メタ）アクリレート、エポキシ（メタ）アクリレート、ポリエーテル（メタ）アクリレート、ポリオール（メタ）アクリレート、メラミン（メタ）アクリレート、トリアジン系アクリレートなどの熱硬化性樹脂をそれぞれ単独、或いは上記熱可塑性樹脂と熱硬化性樹脂とを混合して使用することができ、更には、ラジカル重合性不飽和基を有する熱成形性物質、或いは、これらにラジカル重合性不飽和単量体を加え電離放射線硬化性としたものなどを使用することができる。このほか、銀塩、重クロム酸ゼラチン、サーモプラスチック、ジアゾ系感光材料、フォトレジスト、強誘電体、フォトクロミックス材料、サーモクロミックス材料、カルコゲンガラスなどの感光材料なども使用できる。
【００４１】
なお、ホログラム形成層６１を層の強度の弱いもので構成することにより、ホログラム部６を剥がそうとすると、破壊されるように構成しておくと、ホログラム部６のみを取出して、他に転用することが不可能になる効果がある。
【００４２】
上記の樹脂の層へのホログラムの形成は、上記の材料を用いて、従来既知の方法によって形成することができる。ホログラムの干渉縞を表面凹凸のレリーフとして記録する場合には、干渉縞が凹凸の形で記録された原版をプレス型として用い、上記樹脂層上に前記原版を重ねて加熱ロールなどの適宜手段により、両者を加熱圧着することにより、原版の凹凸模様を複製することができる。また、フォトポリマーを用いる場合は、前記積層シートの保護層上に、フォトポリマーを同様にコーティングした後、前記原版を重ねてレーザー光を照射することにより複製することができる。
上記において、ホログラム形成層６１を形成する樹脂層もしくはフォトポリマー層は、それらの層形成のために透明基材フィルムもしくはシートで裏打ちされていてもよい。
【００４３】
このように、表面凹凸のレリーフとして、干渉縞をホログラム形成層６１の表面に記録する方法は、量産性があり、コストも低くできる点で特に好ましい。このようなホログラム形成層６１の膜厚は０．１〜６μｍの範囲が好ましく、１〜４μｍの範囲が更に好ましい。
【００４４】
上記のようにホログラム形成層６１の表面に凹凸のレリーフとして干渉縞を記録した場合には、その回折効率を高めるために、図３を引用して説明したように、反射層６２をレリーフ面に形成してホログラム部６とすることが好ましい。
【００４５】
反射層６２としては、光を反射するアルミニウム等の金属薄膜をレリーフ面に形成する。金属薄膜としては、アルミニウムの他、Ｃｒ、Ｆｅ、Ｃｏ、Ｎｉ、Ｐｄ、Ｃｕ、Ａｇ、Ａｕ、Ｇｅ、Ｍｇ、Ｓｂ、Ｐｂ、Ｃｄ、Ｂｉ、Ｓｎ、Ｓｅ、ＴＩ、Ｆｅ、Ｔｅ、Ｚｎ、Ｉｎ、Ｇａ、もしくはＲｂ等の金属、酸化物、窒化物もしくは、これらの金属の組み合わせからなる合金を使用して形成する。これらのうちでは、Ａｌ、Ｃｒ、Ｎｉ、Ａｇ、もしくはＡｕ等が特に好ましい。
【００４６】
金属薄膜からなる反射層６２の形成は、真空蒸着法、スパッタリング法、イオンプレーティング法などの薄膜形成法によって行なう。
反射層６２の厚みとしては、色調、デザイン、用途等に応じて適切な条件を設定すればよいが、一般的には、５０Å〜１μｍの範囲が好ましく、更には１００〜１０００Åがより好ましい。反射層６２の透明性を確保する意味では、膜厚を２００Å以下にするのが好ましい。また、隠蔽性を有する反射層６２を設けたい場合は、膜厚を２００Å以上にするのが望ましい。薄膜は、上記のように、転写箔の用途、トータルデザインを考慮し、色調、隠蔽性あるいは透明性等の必要に応じて設定することができる。
【００４７】
反射層６２の材質としては、ホログラム形成層６１とは屈折率の異なる物質の連続薄膜も挙げられる。連続薄膜の膜厚は、薄膜を形成する材料の透明領域であればよいが、通常は１００〜１０００Åが好ましい。連続薄膜をレリーフ面に形成する方法としては、真空蒸着法、スパッタリング法、イオンプレーティング法などの薄膜形成法が挙げられる。連続薄膜は、その屈折率が光回折構造層より大きくても小さくてもよいが、屈折率の差が０．３以上あることが好ましく、差が０．５以上、更には１．０以上あることがより好ましい。
【００４８】
ホログラム形成層６１より屈折率が大きい連続薄膜としては、ＺｎＳ、ＴｉＯ2、Ａｌ2 Ｏ3 、Ｓｂ2 Ｓ3 、ＳｉＯ、ＴｉＯ、ＳｉＯ2 などが挙げられる。ホログラム形成層６１より屈折率が小さい連続薄膜としては、ＬｉＦ、ＭｇＦ2 、ＡｌＦ3 などが挙げられる。また、厚さが２００Å以下の場合には、光の透過率が比較的小さいため、透明でありながら反射層６２として使用することができる。更に、ホログラム形成層６１とは屈折率の異なる透明な合成樹脂、例えば、ポリテトラフルオロエチレン、ポリクロロトリフルオロエチレン、ポリ酢酸ビニル、ポリエチレン、ポリプロピレン、ポリメチルメタクリレートの層を反射層６２に用いることもできる。
ホログラム形成層６１が隠しパターン、もしくは確認パターンのうち一方を有し、かつ、その下面側に隠しパターン、もしくは確認パターンの他方が無い場合には、反射層６２の透明性は必ずしも要しないが、ホログラム形成層６１の下面側に、隠しパターン、もしくは確認パターンの他方を有する場合には、反射層６２は透明性を有するものであることが望ましい。
【００４９】
本発明の真正性識別部３は、被着体の基材２上に適用する際に、下面に接着剤を適用してもよいが、予め、最下面に接着剤層４を有していることが好ましい。
接着剤層４は、次のような粘着剤もしくは接着剤により構成され、厚みとしては、３μｍ〜２０μｍである。
【００５０】
粘着剤としては、例えば、アクリル樹脂、アクリル酸エステル樹脂、またはこれらの共重合体、スチレン−ブタジエン共重合体、天然ゴム、カゼイン、ゼラチン、ロジンエステル、テルペン樹脂、フェノール系樹脂、スチレン系樹脂、クマロンインデン樹脂、ポリビニルエーテル、シリコーン樹脂等が例示され、また、α−シアノアクリレート系、シリコーン系、マレイミド系、スチロール系、ポリオレフィン系、レゾルシノール系、ポリビニルエーテル系、シリコーン系等の接着剤等が挙げられる。
【００５１】
また、上記以外に、ヒートシール剤も加熱時に粘着性を呈するので、使用することができる。例えば、エチレン−酢酸ビニル共重合体樹脂、ポリアミド樹脂、ポリエステル樹脂、ポリエチレン樹脂、エチレン−イソブチルアクリレート共重合体樹脂、ブチラール樹脂、ポリ酢酸ビニル及びその共重合体樹脂、セルロース誘導体、ポリメチルメタクリレート樹脂、ポリビニルエーテル樹脂、ポリウレタン樹脂、ポリカーボネート樹脂、ポリプロピレン樹脂、エポキシ樹脂、又はフェノール樹脂が使用できる。
あるいは、ＳＢＳ（スチレン−ブタジエン−スチレンブロックコポリマー）、ＳＩＳ（スチレン−イソプレン−スチレンブロックコポリマー）、ＳＥＢＳ（スチレン−エチレン−ブチレン−スチレンブロックコポリマー）等の熱可塑性エラストマー、又は反応ホットメルト性樹脂等を使用してもよい。
【００５２】
本発明における、隠しパターン、もしくは確認パターンの形成方法は次の通りである。
即ち、ホログラム部６には、ホログラム形成の途中で光学的な手段によって、隠しパターン、もしくは確認パターンが形成される。
また、ホログラム部６の上面、もしくは下面には、印刷等の手段により、隠しパターン、もしくは確認パターンが形成される。この場合、印刷等の対象は、ホログラム形性層６１、反射層６２、もしくは透明基材フィルム６３である。
図２に示すように、透明基材フィルム５１にパターン層５２が積層される場合も、同様に印刷等の手段による。
【００５３】
ホログラム部６に光学的な手段によって、隠しパターン、もしくは確認パターンを形成するには、ホログラム形成のための干渉露光に先立って、もしくは干渉露光後に、隠しパターン、もしくは確認パターンを形成したフィルムを用いて、ホログラム形成層６１を構成するための紫外線硬化性樹脂等の層に露光を行なうことにより、行なうことができる。
なお、干渉露光を上記フィルムを介して行ない、隠しパターン、もしくは確認パターンの形成を兼ねて行なうことができる。
【００５４】
隠しパターン、もしくは確認パターンを形成したフィルムを用いて、ホログラム形成層６１を構成するための紫外線硬化性樹脂層に行なう露光を、電子線硬化性樹脂層に対する電子線を用いる描画によって行なうこともできる。
この場合、隠しパターン、もしくは確認パターンに関する描画用情報と、ホログラムに関する描画用情報とを合成した合成描画情報に基づいて露光することにより、隠しパターン、もしくは確認パターンと、ホログラムとを同時に形成することができる。
【００５５】
上記のように、紫外線もしくは電子線を用いて形成された、隠しパターン、もしくは確認パターンを有するホログラム形成層６１は、ホログラムの干渉縞が、表面凹凸のレリーフで形成されている場合には、その凹凸形状を他の樹脂板や金属板の表面に写し取って、複製用の型を作製し、得られた複製用の型を利用する複製を行なって、隠しパターン、もしくは確認パターンを有するホログラム形成層６１を得ることができる。電子線を利用する場合には、レジストで被覆した金属板を使用して、直接、ホログラム複製用の型を製造することができる。
【００５６】
ホログラム部６の上面、もしくは下面等に、隠しパターン、もしくは確認パターンを形成するには、印刷等の手段、具体的には、印刷もしくは印刷類似の手段、即ち、凸版印刷、平版オフセット印刷、グラビア印刷、もしくはスクリーン印刷等の通常の印刷方式、もしくは、電子写真、インキジェット等の印刷類似の方式を用いることができる。また、サーマルヘッド等の熱印字手段による転写等も後者の範囲の一つとして利用できる。
図１（ｃ）を引用して説明した真正性識別部３においては、隠しパターンと確認パターンをいずれも印刷等により形成し得るので、両パターンの干渉が明瞭で、モアレパターンが見えやすい利点がある。
また、印刷によるパターンの形成は、ホログラム層へのパターンの形成の際のように、対象となる層が固定されないから、適宜に層が追加されても、それら追加された層の表裏のいずれも印刷対象となり得るので、必ずしも、ホログラム部６の上面、もしくは下面に直接、パターンを形成しなくてもよい。
【００５７】
上記の印刷もしくは印刷類似の手段を用いるときは、インキもしくはトナーの選択により、隠しパターン、もしくは確認パターンを自由な色彩により形成することができる。色彩の制限は特に無いが、コントラストの高いパターンを形成した方が、隠しパターンの確認がしやすいので、その意味では濃度が高い、特に黒色が適しているが、隠しパターン、もしくは確認パターンをホログラム部６上（ホログラム形成層６１上、もしくはホログラム部６を構成するそのほかの層上も含む。）に形成するときは、ホログラム自体が暗く見えるので、ホログラムの視認性を考慮して、濃度を下げて、隠しパターン、もしくは確認パターンを形成することが好ましい。
【００５８】
以上の説明においては、図１〜図３を引用して説明した真正性識別部３の構造に即して、隠しパターンもしくは確認パターンの形成方法について説明したが、本発明の真正性識別部３には、上記した以外の層も付加されることがあり得るので、そのような構造、およびそのような場合における、隠しパターンもしくは確認パターンの形成について述べる。
【００５９】
図８に例示するように、本発明の真正性識別部３は、真正性識別部３上に、剥離層７を積層した構造を有していてもよい。
図８に示すような、剥離層７を最上層に有する構造の真正性識別部３は、通常は透明基材シートの下面に、剥離層６、パターン部５、ホログラム部６、および接着剤層４からなる転写層を剥離可能に積層した真正性識別部転写シートを用いて、基材２上に転写を行なってシートを除去し、製造する場合に得られる積層構造である。ここで、パターン部５とホログラム部６とは入れ替わってもよい。あるいは、真正性識別部３は、剥離層６より下が、図１（ｃ）におけるように、第２のパターン部５ｂ、ホログラム部６、第１のパターン部５ａ、および接着剤層からなるものであってもよい。
【００６０】
なお、ここで、「透明基材シート」と称するのは、パターン部５やホログラム部６を構成する「透明基材フィルム」のように、真正性識別部３の構造の一部となるものと区別するためであり、透明基材シートの素材としては、透明基材フィルムと同様のものを用いることができる。
【００６１】
上記のような、剥離層７が最上面に積層された真正性識別部３への隠しパターン、もしくは確認パターンを形成する位置は、剥離層７とホログラム部６との間が好ましいが、剥離層７上に剥離層７と一体に形成したり、隠しパターン自体、もしくは確認パターン自体を、剥離性として、剥離層を兼ねることもできる。
【００６２】
図９に示すように、本発明の真正性識別部３は、真正性識別部３上に、透明基材フィルム６３が積層した構造を有したものであってもよい。
図９に示す構造の真正性識別部３は、透明基材フィルム６３の下面に、第２のパターン層５ｂ、ホログラム部６、第１のパターン層５ａ、および接着剤層４を順に積層して構成した真正性識別部貼付け用ラベルを、基材２上に積層して製造する場合に得られる積層構造であるが、真正性識別部貼付け用ラベルの構成としては、透明基材フィルム６３の下面に、ホログラム部６、パターン部５、および接着剤層４が積層したものでも、透明基材フィルム６３の下面に、パターン部５、ホログラム部６、および接着剤層４が積層したものでもよい。
【００６３】
上記の例では、上面側から、透明基材フィルム６３、真正性識別部３の順に積層されているが、これらの積層順序を変えて、上面側から、真正性識別部３、透明基材フィルム６３の順に積層されていてもよい。また、透明基材フィルム６３は、真正性識別部３のホログラム部とパターン部との間に積層していてもよい。
【００６４】
以上の説明に従い、図１（ｂ）に示すような積層構造を、図２（ａ）に示す構造のパターン部５、および図３（ｂ）に示す構造のホログラム部６を用いて構成すると、下面側から、反射層６２、ホログラム形成層６１、透明基材フィルム６３、透明基材フィルム５１、およびパターン層５２が順に積層した構造となって、二枚の透明基材フィルム６３および５１が直接重なることが有り得る。
このように二枚の透明基材フィルムが重複しても、両者間を接着すれば差し支えはないが、この場合であれば、透明基材フィルム６３の下面には、ホログラム形成層６１、および反射層６２を順に積層し、透明基材フィルム６３の上面には、パターン層５２を形成することにより、透明基材フィルムを重複させることなく、１枚で済ませることができるので、より好ましい。
【００６５】
上記において、透明基材フィルム６３（もしくは５１、または真正性識別部転写シートにおける透明基材シート）としては、真正性識別部貼付け用ラベルもしくは真正性識別部転写シートを製造する際に、積層する各層を順次コーティング等により積層する際に必要な耐熱性、耐溶剤性、また、形成された真正性識別部貼付け用ラベルもしくは真正性識別部転写シートをカード基材等の情報記録体上に貼付け、もしくは転写する場合には、加熱および加圧を行なうことが多いので、それに耐える耐熱性が必要であり、これらの性能を備えたプラスチックフィルム、例えば２軸延伸ポリエチレンテレフタレートフィルム（以下、単に、ＰＥＴフィルムと表示する）などを使用することができる。真正性識別部転写シートを製造する上でも、また、製造済みのホログラムシールを確認する上でも、基材シートは透明であることが好ましい。
ＰＥＴフィルムを使用する場合、その厚さは、５〜２５０μｍのものが好ましく、加工適性や引張強度、熱転写の際の熱効率などを考慮すると１０〜５０μｍのものが更に好ましい。
【００６６】
また、上記における剥離層７は、真正性識別部転写シートの転写層をフィルムと適度に接着させ、転写時には円滑な剥離を可能にするものである。
剥離層７は、例えば、ポリエステル樹脂等の透明基材フィルムとの接着性がある樹脂中にワックス、もしくはシリコーン樹脂等を添加したものである。
具体的には、剥離層７は、アクリル樹脂等のアクリル骨格樹脂、塩化ビニル／酢酸ビニル共重合体、酢酸セルロースと熱硬化型アクリル樹脂の混合物、メラミン樹脂、もしくはニトロセルロース樹脂等から選ばれた樹脂と、必要に応じ、ポリエチレンワックス、ワックス、もしくはシリコーン樹脂等を添加剤として配合した樹脂組成物から構成される。剥離力の調製、特に、剥離力を増加させるために、ポリエステル樹脂を上記樹脂に添加することができる。
これらの樹脂、添加剤は適宜な溶剤と共に溶解、もしくは分散して剥離層形成用インキ組成物ないし塗料組成物としてものを、公知の印刷手段、もしくは塗布手段で適用し、乾燥、固化することにより、剥離層７を形成することができ、乾燥時の厚みとしては、０．１〜１０μｍである。
【００６７】
なお、本発明においては、ホログラム部６とパターン部５との間を剥離可能に構成する。このことにより、真正性識別部３を被着体の基材２から剥がそうとすると、ホログラム部６とパターン部５とが剥離するので、真正性識別部３を不正に剥がして、他の被着体に転用して適用することが防止できる。ホログラム部６とパターン部５との間を剥離可能にするには、各々を構成する素材どうしの接着性を考慮して構成するか、間に剥離層を介在させるとよい。なお、先に、ホログラム形成層６１を層の強度の弱いもので構成したように、ホログラム部６、もしくはパターン部５のいずれか、もしくは両方を強度の弱いものとしておき、真正性識別体１を被着体の基材２から剥がそうとすると、ホログラム部６、もしくはパターン部５のいずれか一方、もしくは両方が破壊され、他に転用できないようにしてもよい。
【００６８】
これらのほか、本発明の真正性識別部、真正性識別部貼付け用ラベル、および真正性識別部転写シートは、製造上、もしくは得られる製品の性能上の理由で、種々の層を、それらの構造中に保有することができる。
例えば、透明基材フィルム６３、ホログラム形成層６１、反射層６２、パターン部５、および粘着剤層４からなる真正性識別部貼付け用ラベルにおいて、透明基材フィルム６３とホログラム形成層６１との間に、両者の密着強度を向上させるための中間層を積層してもよい。
透明基材フィルム６３、剥離層、ホログラム形成層６１、反射層６２、パターン部５、および粘着剤層４からなる真正性識別部貼付け用脆質ラベルであって、ホログラム形成層が脆性を有している場合、剥離層とホログラム形成層６１の間に両層の密着強度を向上させるための中間層、あるいは、パターン部５と粘着剤層との間に両層の密着強度を向上させるためのアンカー層を形成してもよい。このようにすることにより、脆性を有しているホログラム形成層６１の層間剥離がより確実になる。
透明基材フィルム６３、剥離層、ホログラム形成層６１、反射層６２、パターン部５、および接着剤層（感熱接着剤層）４からなる真正性識別部転写シートの場合にも、同様に、剥離層とホログラム形成層６１の間に中間層、パターン部５と接着剤層との間にアンカー層を形成してもよい。
【００６９】
図１０は、本発明の真正性識別部３を商品券に適用した例であって、紙等の基材２上の左方に、通常の印刷８が施されており、右方に真正性識別部３が積層されたものである。
この真正性識別部３には、その内部に隠しパターンおよび確認パターンが重なった構造を有しているので、図１０中、符号１３で示すように、「壱千円」の額面表示がモアレパターン１３として現われるものである。
【００７０】
本発明の真正性識別部３を適用して真正性識別体１とすることが可能な被着体の基材２は、素材的には、前に述べた通りであるが、これら基材２は、種々の情報記録体の基材であり得る。
例えば、基材２は、ＩＤ（本人確認）用のカードの基材であってよい。ＩＤ用のカードは、具体的には、銀行等の預貯金カード、クレジットカード、身分証明書（学生証、もしくは社員証）、カード形式ではないが、ＩＤ用である受験票、パスポート等であり得る。これらの基材には、いわゆるＩＤ情報が公知の種々の手段により記録されている。
【００７１】
また、基材２は、紙幣、商品券、株券、もしくは証券等の基材で有り得る。これらの基材には金額もしくはそれに類した口数等の情報が記録されている。
さらに、基材２は、運転免許証、カード型の証書、例えば、防火、消毒もしくは防火等の保安、衛生上の資格、もしくは等級を示すもの等の基材であり得る。これらの基材には、それぞれが保証するか、もしくは証明する内容の情報が記録されている。
宝くじ、競馬・競輪等の勝馬投票券・車券等の基材も、本発明の真正性識別部３を適用する基材２で有り得る。これらの基材には、抽選の対象となる番号等の情報が記録されている。
いずれの情報も、不正な意図で偽造されると経済的な損害や混乱を招く重要なものである。
以上に挙げた情報記録体は、いずれもが印刷物でもあるから、本発明の真正性識別部３を適用し得る情報記録体は、印刷物であるとも言える。
【００７２】
本発明の真正性識別部３を適用することが可能な基材２は、上記のものに加えて、高級腕時計、宝飾品、貴金属、骨董品等の高額商品、いわゆるブランド品といわれる世界的に著名な高級商品、もしくはそれらを収納する箱、ケース、もしくは袋等の包装容器であってもよく、あるいはまた、磁気的記録媒体、もしくは光学的記録媒体等の媒体に、音楽ソフト、映像ソフト、コンピュータソフト、もしくはゲームソフト等のソフトウェアを記憶させた複製物そのもの、それらを収納する箱、もしくはケース等の包装容器であってもよい。
これらは、価格が高いために、不正な意図での模倣品や複製品がつくられやすい性質のものである。
【００７３】
【発明の効果】
請求項１の発明によれば、パターン部上にレリーフホログラム部が積層しており、いずれかが隠しパターンを有し、他方が確認パターンを有する構造としたので、情報記録体等の被着体に貼り付け等により適用することにより、被着体の真正性識別を可能にし、且つ、パターン部とレリーフホログラム部とが剥離可能であるため、剥がそうとすると、パターン部とレリーフホログラム部とが剥離し、他の被着体への転用が不可能な真正性識別部を提供することができる。請求項２の発明によれば、レリーフホログラム部上にパターン部が積層しており、いずれかが隠しパターンを有し、他方が確認パターンを有する構造としたので、情報記録体等の被着体に貼り付け等により適用することにより、被着体の真正性識別を可能にし、且つ、パターン部とレリーフホログラム部とが剥離可能であるため、剥がそうとすると、パターン部とレリーフホログラム部とが剥離し、他の被着体への転用が不可能な真正性識別部を提供することができる。請求項３の発明によれば、ホログラム部をはさんで、隠しパターンおよび確認パターンを有しているので、請求項１または請求項２の発明と同等な効果に加え、生じるモアレパターンが見えやすい真正性識別部を提供することができる。請求項４の発明によれば、請求項１〜請求項３いずれかの発明の効果を有する真正性識別部の最下層に接着剤層が積層した構造を有するので、接着剤層側を被着体に向けて圧着することにより、被着体への適用が可能な真正性識別部貼付け用ラベルを提供することができる。請求項５の発明によれば、請求項１〜請求項３いずれかの発明の効果を有する真正性識別部の最下層に接着剤層が積層し、かつ最上層に透明基材シートが剥離可能に積層した構造を有するので、接着剤層側を被着体に向けて圧着し、その後、透明基材シートを剥離することにより、被着体への適用が可能な真正性識別部転写シートを提供することができる。
【図面の簡単な説明】
【図１】本発明の真正性識別部の基本的な構造を示す図である。
【図２】パターン部の構造を示す図である。
【図３】ホログラム部の構造を示す図である。
【図４】隠しパターンと確認パターンの例を示す図である。
【図５】隠しパターンと確認パターンが重ねって生じたモアレパターンの図である。
【図６】網点、万線で構成された隠しパターン、および確認パターン、並びにモアレパターンの図である。
【図７】万線で構成された確認パターンの方向を変えた例を示す図である。
【図８】剥離層を有する真正性識別部の構造を示す図である。
【図９】透明基材フィルムを有する真正性識別部の構造を示す図である。
【図１０】本発明の真正性識別部を商品券に適用した例を示す図である。
【符号の説明】
１    真正性識別体
２    基材
３    真正性識別部
４    接着剤層
５    パターン部（５１；透明基材フィルム、５２；パターン層）
６    ホログラム部（６１；ホログラム形成層、６２；反射層）
７    剥離層
８    通常の印刷
１１  隠しパターン
１２  確認パターン
１３  モアレパターン
【図１】
0004562925.tif 000002
【図２】
0004562925.tif 000003
【図３】
0004562925.tif 000004
【図４】
0004562925.tif 000005
【図５】
0004562925.tif 000006
【図６】
0004562925.tif 000007
【図７】
0004562925.tif 000008
【図８】
0004562925.tif 000009
【図９】
0004562925.tif 000010
【図１０】
0004562925.tif 000011